(57)【要約】【課題】カメラに着脱自在なファインダ−を利用した装着構成として低コスト化を計ると共に、写真画像、フイルム画像を手軽に検査することができるようにしたコンパクトな画像検査装置を提供すること。【解決手段】ウエストレベルファインダ−１０に台枠１４を取付け、この台枠１４によってこのウエストレベルファインダ−１０が備えるル−ペレンズ１０ｃの焦点位置を定める構成とする他に、上記台枠１４にフイルムレ−ル枠１５を取付け、さらには、このフイルムレ−ル枠１５に照明装置１６を取付けて形成する画像検査装置となっている。【選択図】        図２
2004219877.tif 000002
【特許請求の範囲】
【請求項１】
写真画像、フイルム画像などを検査するための画像検査装置において、
カメラと着脱自在なファインダ−に着脱自在であって、該ファインダ−のレンズの焦点位置を定める台枠からなる画像検査装置。
【請求項２】
請求項１に記載した画像検査装置において、
前記台枠に着脱自在又は一体に設けたフイルムレ−ル枠を設け、
このフイルムレ−ル枠には、前記レンズの焦点位置と対応する位置に設けたフイルムレ−ルと、フイルムを外光照明するための光拡散板とを備えたことを特徴とする画像検査装置。
【請求項３】
請求項２に記載した画像検査装置において、
前記光拡散板に対向させる位置であって前記フイルムレ−ル枠と着脱自在又は一体に設けた面光源を有する照明装置を備えたことを特徴とする画像検査装置。
【発明の詳細な説明】
【０００１】
【発明の属する技術分野】
この発明は、カメラに着脱自在なファインダ−を利用して写真画像、フイルム画像などを検査するための画像検査装置に関する。
【０００２】
【従来の技術】
フイルム画像の検査や観察には、ライトボックスとル−ペを使用して行なわれている。
具体的にはライトボックスの上に撮影したフイルム（ネガフイルム）を載せてフイルムを照明し、照明されたフイルムの上からル−ペを使って画像を覗き見ることでフイルム画像の検査や観察を行なっている。
また、写真画像は拡大ル−ペを使用して覗き見て検査、観察、画像修正などが行なわれている。
【０００３】
【発明が解決しようとする課題】
上記したように、写真画像、フイルム画像の検査にはライトボックスとル−ペなどの検査装置を用意しなければならない。
そのため、レンズを備えたル−ペなどを別途に用意することになるため低コストの検査装置とならず、また、この検査装置のコンパクト化が困難であった。
【０００４】
そこで、本発明では、カメラに着脱自在なファインダ−を検査装置の一部として利用することによって低コスト化とコンパクト化に適するようにした画像検査装置を提供することを目的とする。
【０００５】
【課題を解決するための手段】
上記した目的を達成するため、本発明では、第１発明として、写真画像、フイルム画像などを検査するための画像検査装置において、カメラと着脱自在なファインダ−に着脱自在であって、該ファインダ−のレンズの焦点位置を定める台枠からなる画像検査装置を提案する。
【０００６】
上記した第１発明に係る画像検査装置は、カメラに取付けるファインダ−の装着部に台枠を取付けてル−ペを形成する。
このル−ペはファインダ−のレンズを利用し、そのレンズの焦点位置が台枠によって定められるので、このル−ペを写真やフイルムに載置させてレンズを覗き見ることによって、拡大された写真画像やフイルム画像を視認することができ、画像検査（画像観察、画像修正を含む）することができる。
【０００７】
第２の発明としては、前記台枠に着脱自在又は一体に設けたフイルムレ−ル枠を設け、このフイルムレ−ル枠には、前記レンズの焦点位置と対応する位置に設けたフイルムレ−ルと、フイルムを外光照明するための光拡散板とを備えたことを特徴とする画像検査装置を提案する。
【０００８】
この第２の発明の画像検査装置は、フイルムをフイルムレ−ル枠のフイルムレ−ルに差し入れることによって、フイルムがレンズの焦点位置となると共に、光拡散板により外光を取り入れてフイルム照明することができるので、明るいフイルム画像を視認して検査することができる。
【０００９】
第３の発明としては、前記光拡散板に対向させる位置であって前記フイルムレ−ル枠と着脱自在又は一体に設けた面光源を有する照明装置を備えたことを特徴とする画像検査装置を提案する。
【００１０】
この第３の発明の画像検査装置は、面光源の光がフイルムレ−ル枠の光拡散板に入射し、光拡散板によってフイルム照明される光源付の画像検査装置となる。
【００１１】
【発明の実施の形態】
次に、本発明の一実施形態状態について図面に沿って説明する。
図１はロ−ルフイルムを使用する公知のカメラを示す簡略側面図である。
この種のカメラは、アイレベルファインダ−とウエストレベルファインダ−とのいずれかを装着して使用できる構成となっている。
【００１２】
なお、図１において、１０はウエストレベルファインダ−、１１はミラ−ボックスを有するカメラ本体、１２は撮影レンズ、１３はロ−ルフイルムを装填するフイルムバックを各々示す。
【００１３】
ウエストレベルファインダ−１０は、四辺形をなすファインダ−基枠１０ａの底面に係止爪１０ｂが設けてあり、この係止爪１０ｂをカメラ本体１１の係止溝に係合させるようにしてカメラ本体１１に取付ける。
また、このウエストレベルファインダ−１０には被写体を観察するためのル−ペレンズ（画像拡大用レンズ）１０ｃが備えてある。
なお、このようなウエストレベルファインダ−１０は公知のものである。
【００１４】
カメラ本体１１には、メインミラ−１１ａやシャッタ−１１ｂの他に、ル−ペレンズ１０ｃの焦点位置となる部所にフォ−カシングスクリ−ン１１ｃが設けてあり、このフォ−カシングスクリ−ン１１ｃに結像した被写体画像をル−ペレンズ１０ｃより観察することができる。
【００１５】
本実施形態の画像検査装置は、上記したウエストレベルファインダ−１０をカメラ本体１１より取り外した状態で利用する。
すなわち、図２に斜視図として、図３に断面図として各々示したように、ウエストレベルファインダ−１０、台枠１４、フイルムレ−ル枠１５、照明装置１６より構成される画像検査装置となっている。
【００１６】
上記した台枠１４は、図示するように四辺形の枠板で、これはウエストレベルファインダ−１０をカメラ本体１１に装着する装着面１０ｄに取付けてル−ペレンズ１０ｃの焦点位置を決めるものである。
すなわち、台枠１４をウエストレベルファインダ−１０に取付けると、台枠１４の下側面１４ａ（非装着面）の位置がル−ペレンズ１０ｃの焦点位置となる構成としてある。
言換えれば、ウエストレベルファインダ−１０の装着面１０ｄとフォ−カシングスクリ−ン１１ｃとの間隔に等しい板幅Ｄの台枠１４となっている。
【００１７】
この台枠１４は、その対向辺にＬ字形の係止溝１４ｂを設け、この係止溝１４ｂにウエストレベルファインダ−１０の係止爪１０ｂを係合させるようにして取付ける。
【００１８】
具体的には、ウエストレベルファインダ−１０の四辺形装着面１０ｄには、対向辺の各々にＬ字形の係止爪１０ｂが設けられているから、この係止爪１０ｂを上記した係止溝１４ｂの縦溝部から挿入した後にその係止溝１４ｂの横溝部にスライドさせるようにして台枠１４をウエストレベルファインダ−１０に取付ける。
【００１９】
フイルムレ−ル枠１５は、窓孔１５ａを形成した四辺形の枠板で、これにはフイルム幅に合せて形成したフイルムレ−ル１５ｂが設けてある。
また、このフイルムレ−ル枠１５には、外光を取り入れてフイルムを照明するための乳白色系の光拡散板１５ｃが窓孔１５ａを閉塞するように取付け固定してある。
【００２０】
さらに、上記のフイルムレ−ル枠１５は、その対角部各々に設けられたねじ孔１５ｄに取付ねじを通し、この取付ねじによって台枠１４に取付ける。
なお、台枠１４の下側面１４ａにはフイルムレ−ル枠１５のねじ孔１５ｄに対向する部所にねじ孔１４ｃが設けてある。
【００２１】
照明装置１６は、ＬＥＤなどの発光素子１６ａの発光を入光して光拡散する面光源１６ｂを備えた箱状の照明装置で、その他に発光素子１６ａを給電する電源電池１７を収納する電池ボックス１６ｃとその蓋板１６ｄなどを備えている。
なお、この照明装置１６は、その対角部各々に形成したねじ孔１６ｅに取付ねじを通してフイルムレ−ル枠１５に取付ける。
【００２２】
上記のように構成した画像検査装置は、既に述べたように台枠１４を係止爪１０ｂと係止溝１４ｂとを係合させてウエストレベルファインダ−１０に取付けるが、この台枠１４、フイルムレ−ル枠１５、照明装置１６は各々のねじ孔に取付ねじを螺合させて一体的に連結する。
【００２３】
図４（ａ）はフイルムレ−ル枠１５を台枠１４にねじ連結した状態を示す部分断面図である。
図示するように、台枠１４にフイルムレ−ル枠１５のみを取付けるときは、台枠１４のねじ孔１４ｃとフイルムレ−ル枠１５のねじ孔１５ｄとに短寸の取付けねじ１８を螺合してねじ止めする。
【００２４】
台枠１４、フイルムレ−ル枠１５、照明装置１６を連結させる場合は、図４（ｂ）に示した如く、各々のねじ孔１４ｃ、１５ｄ、１６ｅにねじ込みした長寸の取付けねじ１９によって連結する。
【００２５】
上記の画像検査装置は、次に示すように３通りに使用することができる。
図５は、写真画像を検査する使用形態を示す。
この場合には、台枠１４のみをウエストレベルファインダ−１０に装着した画像検査装置とする。
この使用形態の検査装置は写真２０の上に載置してル−ペレンズ１０ｃより拡大された写真画像を覗き見ることにより画像検査することができる。
【００２６】
図６はフイルム画像を検査する使用形態を示す。
この場合には、ウエストレベルファインダ−１０に台枠１４を取付け、さらに、この台枠１４にフイルムレ−ル枠１５を取付ける。
【００２７】
この使用形態の検査装置は、フイルム２１をフイルムレ−ル１５ｂに差し入れて画像検査する。
なお、外光が光拡散板１５ｃに入るので、この光拡散板１５ｃによってフイルム２１が照明される。
【００２８】
図７は面光源１６ｂによりフイルム照明して検査する使用形態を示す。
この場合は、ウエストレベルファインダ−１０に台枠１４を取付け、さらに、台枠１４にフイルムレ−ル枠１５を取付けた後に、このフイルムレ−ル枠１５に照明装置１６を取付ける。
【００２９】
この使用形態の検査装置は、面光源１６ｂの光が光拡散板１５ｃによって拡散されフイルムを照明するので、周囲の明るさに関係なく明るいフイルム画像となり、画像検査が一段と容易になる。
【００３０】
以上、本発明の好ましい一実施形態について説明したが、その他に次のように実施することができる。
すなわち、図８に示したように台枠１４とフイルムレ−ル枠１５とは一体形成することができ、また、図９に示したように、フイルムレ−ル枠１５と照明装置１６とを一体形成したり、さらには、台枠１４、フイルムレ−ル枠１５、照明装置１６とを一体形成することもできる。
【００３１】
なお、上記した台枠１４、フイルムレ−ル枠１５、照明装置１６の連結手段は必ずしも取付けねじ１８、１９によることなく、係止爪や係止溝などの係合手段を利用して構成することができる。
【００３２】
また、本発明は、カメラに着脱自在なアイレベルファインダ−を利用して構成することもできる。
すなわち、カメラから取り外したアイレベルファインダ−の装着面に台枠１４を取付けて上記同様に実施し、接眼レンズより画像を覗いて検査する。この場合、アイレベルファインダ−にライトアングルファインダ−を連結すると便利である。
【００３３】
【発明の効果】
上記した通り、本発明の画像検査装置は、カメラに着脱自在なファインダ−を利用して構成したので、レンズ構成を設ける必要がなく低コスト化に極めて有利となる。
【００３４】
また、台枠、フイルムレ−ル枠、照明装置を使用形態に応じて連結することができるコンパクトな画像検査装置となる。
【図面の簡単な説明】
【図１】ロ−ルフイルムを使用するカメラの簡略側面図である。
【図２】本発明の実施形態を示すウエストレベルファインダ−、台枠、フイルムレ−ル枠、照明装置の斜視図である。
【図３】上記したウエストレベルファインダ−、台枠、フイルムレ−ル枠、照明装置の断面図である。
【図４】図４（ａ）は、上記した台枠とフイルムレ−ル枠のねじ連結構成を示す部分断面図、図４（ｂ）は台枠、フイルムレ−ル枠、照明装置のねじ連結構成を示す部分断面図である。
【図５】写真画像を検査する使用形態を示す検査装置の断面図である。
【図６】フイルム画像を検査する使用形態を示す検査装置の断面図である。
【図７】面光源によってフイルム照明する使用形態を示す検査装置の断面図である。
【図８】上記台枠とフイルムレ−ル枠とを一体形成した他の実施形態を示す断面図である。
【図９】上記したフイルムレ−ル枠と照明装置とを一体的に形成した他の実施形態を示す断面図である。
【符号の説明】
１０  ウエストレベルファインダ−
１０ｂ  係止爪
１０ｃ  ル−ペレンズ
１４  台枠
１４ｂ  係止溝
１４ｃ  ねじ孔
１５  フイルムレ−ル枠
１５ｂ  フイルムレ−ル
１５ｃ  光拡散板
１５ｄ  ねじ孔
１６  照明装置
１６ｂ  面光源
１６ｅ  ねじ孔
２０  写真
２１  フイルム
【図１】
2004219877.tif 000003
【図２】
2004219877.tif 000004
【図３】
2004219877.tif 000005
【図４】
2004219877.tif 000006
【図５】
2004219877.tif 000007
【図６】
2004219877.tif 000008
【図７】
2004219877.tif 000009
【図８】
2004219877.tif 000010
【図９】
2004219877.tif 000011